(57)【要約】【課題】インターネット仕様の携帯電話の画面に、表示されたサイトのコンテンツともに該コンテンツと連動しないフレームワーク表示を行うことができるようにする。【解決手段】インターネット４上にＷｅｂサーバーに連携するフレームワークサーバー２を構築する。インターネット４上に公開したサイトに携帯電話６からアクセスすると、該サイトに連携するフレームワークサーバー２のフレームワーク表示ブラウザプログラムを携帯電話６にダウンロード可能となる。携帯電話６にダウンロードしたフレームワーク表示ブラウザプログラムの起動により携帯電話６画面にサイトのコンテンツとともに該コンテンツと連動しないフレームワーク表示が表示される。【選択図】　図１
2004145721.tif 000002
【特許請求の範囲】
【請求項１】
Ｗｅｂサーバー上のサイトのコンテンツをブラウザを通じて携帯電話の画面に表示するとともにフレームワーク表示ブラウザプログラムを動かし携帯電話の画面に表示されたコンテンツに隣接して該画面にフレームワーク表示を行うシステムであって、インターネット上にＷｅｂサーバーに連携するフレームワークサーバーを構築し、インターネット上に公開したサイトに携帯電話からアクセスすると、該サイトに連携するフレームワークサーバーのフレームワーク表示ブラウザプログラムが前記携帯電話にダウンロード可能とし、前記携帯電話にダウンロードされたフレームワーク表示ブラウザプログラムの起動により携帯電話の画面に前記サイトのコンテンツとともにフレームワーク表示ブラウザプログラムによって動くフレームワーク表示が表示されるようにしたことを特徴とする携帯電話用フレームワークシステム。
【発明の詳細な説明】
【０００１】
【発明の属する技術分野】
本発明は、インターネット仕様の携帯電話の、アクセスしたサイトのコンテンツが表示された画面にニュース情報やリンク情報あるいは広告あるいはゲームなどの情報をフレームワーク表示するようにした携帯電話用フレームワークシステムに関する。
【０００２】
【従来の技術】
従来のインターネット仕様の携帯電話において、アクセスしたサイトのコンテンツが表示される画面に、広告やリンクを表示するにはコンテンツの中に表示する方式が一般的である。
【０００３】
【発明が解決しようとする課題】
広告やリンクなどの情報をコンテンツの中に表示した方式であると、コンテンツのページが画面上で移動すると、コンテンツの中に表示されている広告やリンクなどの情報もコンテンツと一緒に移動してしまい、画面から消えてしまう。そのため、広告やリンクなどの情報をホームページ閲覧者に効果的に提供できないという問題点があった。本発明は上記問題点を解決することを目的とするものである。
【０００４】
【課題を解決するための手段】
上記目的を解決するため、本発明は、Ｗｅｂサーバー上のサイトのコンテンツをブラウザを通じて携帯電話の画面に表示するとともにフレームワーク表示ブラウザプログラムを動かし携帯電話の画面に表示されたコンテンツに隣接して該画面にフレームワーク表示を行うシステムであって、インターネット上にＷｅｂサーバーに連携するフレームワークサーバーを構築し、インターネット上に公開したサイトに携帯電話からアクセスすると、該サイトに連携するフレームワークサーバーのフレームワーク表示ブラウザプログラムが前記携帯電話にダウンロード可能とし、前記携帯電話にダウンロードされたフレームワーク表示ブラウザプログラムの起動により携帯電話の画面に前記サイトのコンテンツとともにフレームワーク表示ブラウザプログラムによって動くフレームワーク表示が表示されるようにしたものである。
【０００５】
【発明の実施の形態】
以下に本発明の実施の形態を添付した図面を参照して詳細に説明する。
図１は本発明に係る携帯電話用フレームワークシステムのハードウェア構成を示す図であり、アプリケーションサーバー２がインターネット４上に構築されている。アプリケーションサーバー２には、例えばＪａｖａ言語によって記述されたフレームワーク表示用のブラウザプログラムが格納され、当該アプリケーションサーバー２はフレームワークサーバーを構成している。
【０００６】
フレームワークサーバー２に格納されたフレームワーク表示ブラウザは、インターネット仕様の携帯電話６の表示部６ａに、図１に示すように、コンテンツ表示部８の下側、あるいは上側あるいは左右側部に、コンテンツに隣接位置させて、フレーム１０を形成し、該フレーム１０内にバナー広告やニュースやゲームなどの情報をリアルタイムに表示するフレームワーク表示を行うことを内容とする。
【０００７】
フレーム１０の中の情報は、表示部６ａに表示されたコンテンツのページとは独立して、時間単位であるいはページ移動時などに切り替わるように構成される。また、フレーム１０の中で、文字を左右に移動させたり、あるいはフレーム１０内の表示部分をリンクとしてページの移動を可能としている。
【０００８】
上記した構成において、図２に示すように、一般のユーザーが携帯電話６を用い、インターネット４を通じて、フレームワークサーバー２と連携するコンテンツサーバー１２に格納されているサイトにアクセスする（ステップ１，２）。次にユーザーは、フレームワークサーバー２に格納されているフレームワーク表示ブラウザプログラムを携帯電話６にダウンロードする（ステップ３）。
【０００９】
次にフレームワーク表示ブラウザプログラムを起動する（ステップ４）。フレームワーク表示ブラウザプログラムはフレームワークサーバー２を経由してコンテンツサーバー１２のサイトにアクセスする（ステップ５）。これにより、携帯電話６の表示部６ａには、このサイトのホームページの表示の下あるいは上などの所定の位置に、図１に示すように、フレーム１０内の表示メーセッジが表示されフレームワーク表示が行われる（ステップ６）。
【００１０】
このフレームワーク表示は上記したように、時間単位であるいはページの移動時などに切り替えられ、フレーム１０内の表示メッセージが更新される（ステップ７）。携帯電話６のコンテンツ表示部８は、従来通り、ファンクションキーなどでスクロールが可能である。コンテンツがコンテンツ表示部８上でｗで示す範囲内でスクロールしても、フレームワーク表示はこれに影響されず、コンテンツのスクロールあるいはページ切り替えと連動しない。尚、本発明の実施に際して、フレームワーク表示ブラウザプログラムはＪａｖａ（サンマイクロシステムズ社の登録商標）言語によって記述されたプログラムに特に限定されるものではなく、他の同様な機能を有するプログラム言語を用いることができることは言うまでもない。
【００１１】
【発明の効果】
本発明は上述の如く、携帯電話の画面に表示されるホームページのコンテンツに隣接してフレームワーク表示ブラウザプログラムによりフレームを設け、このフレームに各種の情報を表示するようにしたので、コンテンツの移動とは関係なく、常時必要な情報を携帯電話の画面に表示させることができる。
【図面の簡単な説明】
【図１】本発明のシステム構成説明図である。
【図２】本発明のシステム構成説明図である。
【図３】本発明の動作説明図である。
【符号の説明】
２　　アプリケーションサーバー
４　　インターネット
６　　携帯電話
８　　コンテンツ表示部
１０　フレーム
１２　コンテンツサーバー
【図１】
2004145721.tif 000003
【図２】
2004145721.tif 000004
【図３】
2004145721.tif 000005